(57)【要約】【課題】首掛ラベルを確実に且つ効率よく首付き容器に装着すること。【解決手段】首掛孔が形成される首掛部及び該首掛孔と一体に構成される前掛部からなる首掛ラベルと、前記首掛部に擬似接着された首掛部用台紙と、前記前掛部に擬似接着された前掛部用台紙とから構成されるラベルシートを、前記首掛部と前記前掛部とを結ぶ方向と直交する方向に搬送する段階と、前記前掛部用台紙を反転搬送することで該前掛部用台紙を前記首掛ラベルから剥離する段階と、前記前掛部を前記首掛部に対して垂直になるように折る段階と、前記首掛部用台紙を前記首掛ラベルから剥離する段階と、前記台紙から剥離された前記首掛ラベルが落下する時期と同期するように首付き容器を搬送し、前記首付き容器の首部分を前記首掛ラベルの前記首掛孔に入り込ませる段階と、  を有することを特徴とする首掛ラベル装着方法。【選択図】図２
2009173312.tif 000002
【特許請求の範囲】
【請求項１】
首掛孔が形成される首掛部及び該首掛孔と一体に構成される前掛部からなる首掛ラベルと、前記首掛部に擬似接着された首掛部用台紙と、前記前掛部に擬似接着された前掛部用台紙とから構成されるラベルシートを、前記首掛部と前記前掛部とを結ぶ方向と直交する方向に搬送する段階と、
前記前掛部用台紙を反転搬送することで該前掛部用台紙を前記首掛ラベルから剥離する段階と、
前記前掛部を前記首掛部に対して垂直になるように折る段階と、
前記首掛部用台紙を前記首掛ラベルから剥離する段階と、
前記台紙から剥離された前記首掛ラベルが落下する時期と同期するように首付き容器を搬送し、前記首付き容器の首部分を前記首掛ラベルの前記首掛孔に入り込ませる段階と、
を有することを特徴とする首掛ラベル装着方法。
【請求項２】
首掛孔が形成される首掛部及び該首掛孔と一体に構成される前掛部からなる首掛ラベルと、前記首掛部に擬似接着された首掛部用台紙と、前記前掛部に擬似接着された前掛部用台紙とから構成されるラベルシートを、前記首掛部と前記前掛部とを結ぶ方向と直交する方向に搬送するラベルシート搬送手段と、
前記ラベルシート搬送手段の下流側に配設され、前記前掛部用台紙を反転搬送することで該前掛部用台紙を前記首掛ラベルから剥離する前掛部用台紙剥離手段と、
前記前掛部用台紙剥離手段の下流側に配設され、前記前掛部を前記首掛部に対して垂直になるように折る折り手段と、
前記折り手段の下流側に配設され、前記首掛部用台紙を前記首掛ラベルから剥離する首掛部用台紙剥離手段と、
前記台紙から剥離された前記首掛ラベルが落下する時期と同期するように首付き容器を搬送し、前記首付き容器の首部分を前記首掛ラベルの前記首掛孔に入り込ませる容器搬送手段と、
を有することを特徴とする首掛ラベル装着装置。
【請求項３】
請求項２に記載の首掛ラベル装着装置に用いることを特徴とする首掛ラベル。
【発明の詳細な説明】
【技術分野】
【０００１】
本発明はペットボトルやビン等の首付き容器の首部分に掛ける首掛ラベル、及び該首掛ラベルを首付き容器に装着する首掛ラベル装着装置及び首掛ラベル装着方法に関する。
【背景技術】
【０００２】
従来、ビンのような首部を有する首付き容器に対して、首掛孔を有する首掛ラベルを装着する首掛ラベル装着装置がある（例えば、特許文献１の図４）。
【０００３】
特許文献１に示される首掛ラベル装着装置は、首掛ラベルを剥離可能な台紙に貼り付けて構成されたラベルシートを搬送し、このラベルシートを鋭角に折り返す。これにより首掛ラベルが台紙から剥離する。そして首掛ラベルは落下するが、このとき、他方から搬送されてくるビンの首部が首掛ラベルの首掛孔に入り込むことになる。これにより、首掛ラベルは、首掛孔の下方に垂れ下がった表示部を下にしてビンの首部に掛けられる。
【０００４】
【特許文献１】特許第２７２２１９０号公報
【発明の開示】
【発明が解決しようとする課題】
【０００５】
しかしながら、従来の技術には次のような問題がある。図４は従来の技術の説明図である。
【０００６】
図４に示すように、ラベルシート１００の搬送方向Ｄ１と、首掛ラベル１０１の首掛部１０１ａ及び表示部１０１ｂを結ぶ方向Ｄ２とが平行となると、ある首掛ラベルの首掛部１０１ａとそれと隣接する首掛ラベル１０１の首掛部１０１ａとの間には表示部１０１ｂがあることとなるため、首掛部１０１ａと隣接する首掛部１０１ａとの間が空いてしまう。すると、首掛ラベル１０１を台紙１０２から剥離した後に首掛部１０１ａが掛かるビンの間隔も空ける必要がある。この結果、搬送するビンと隣接するビンとの間を空けなければならず、生産過程において効率が悪いという問題があった。
【０００７】
また、上述のようにラベルシートの搬送方向と首掛部及び表示部を結ぶ方向とが平行であると、搬送方向に向かって長い構成となる。ここで、首掛ラベル１０１を台紙１０２から剥離する作業は搬送方向に沿って行われるため、首掛ラベル１０１を剥離するための剥離時間も長くかかってしまう。一般に剥離時間が長くなるにつれて、剥離過程で剥離に悪影響を及ぼす要因も多くなるため、剥離時間は均一化されにくくなる。剥離時間が均一化されないと、剥離した首掛ラベル１０１が剥離開始から落下するまでの時間も均一化されないことになる。するとビンの搬送速度も均一化することが難しくなる。この結果、落下する首掛ラベル１０１を確実にビンの首部に掛けることが難しくなっていた。
【０００８】
そこで本発明の目的は、首掛ラベルを確実に且つ効率よく首付き容器に装着することである。
【課題を解決するための手段】
【０００９】
上記目的を達成するための本発明の首掛ラベル装着方法は、首掛孔が形成される首掛部及び該首掛孔と一体に構成される前掛部からなる首掛ラベルと、前記首掛部に擬似接着された首掛部用台紙と、前記前掛部に擬似接着された前掛部用台紙とから構成されるラベルシートを、前記首掛部と前記前掛部とを結ぶ方向と直交する方向に搬送する段階と、前記前掛部用台紙を反転搬送することで該前掛部用台紙を前記首掛ラベルから剥離する段階と、前記前掛部を前記首掛部に対して垂直になるように折る段階と、前記首掛部用台紙を前記首掛ラベルから剥離する段階と、前記台紙から剥離された前記首掛ラベルが落下する時期と同期するように首付き容器を搬送し、前記首付き容器の首部分を前記首掛ラベルの前記首掛孔に入り込ませる段階と、を有することを特徴とする。
【００１０】
また、本発明の首掛ラベル装着装置は、首掛孔が形成される首掛部及び該首掛孔と一体に構成される前掛部からなる首掛ラベルと、前記首掛部に擬似接着された首掛部用台紙と、前記前掛部に擬似接着された前掛部用台紙とから構成されるラベルシートを、前記首掛部と前記前掛部とを結ぶ方向と直交する方向に搬送するラベルシート搬送手段と、前記ラベルシート搬送手段の下流側に配設され、前記前掛部用台紙を反転搬送することで該前掛部用台紙を前記首掛ラベルから剥離する前掛部用台紙剥離手段と、前記前掛部用台紙剥離手段の下流側に配設され、前記前掛部を前記首掛部に対して垂直になるように折る折り手段と、前記折り手段の下流側に配設され、前記首掛部用台紙を前記首掛ラベルから剥離する首掛部用台紙剥離手段と、前記台紙から剥離された前記首掛ラベルが落下する時期と同期するように首付き容器を搬送し、前記首付き容器の首部分を前記首掛ラベルの前記首掛孔に入り込ませる容器搬送手段と、を有することを特徴とする。
【００１１】
また、本発明の首掛ラベルは、前述の首掛ラベル装着装置に用いることを特徴とする。
【発明の効果】
【００１２】
以上のように、ラベルシートにおいて、首掛部と前掛部とを結ぶ方向がラベルシートの搬送方向と直交する方向となると、首掛部と前掛部とをそれぞれ、搬送方向に連続的に並べることができる。すると、首掛部どうしや前掛部どうしの間隔を狭めることができる。これに伴い、首掛ラベルを掛けられる側の首付き容器の間隔をも狭めることができる。これにより、短い時間でより多くの首付き容器に首掛ラベルを装着することができることとなり、首掛ラベルを効率よく首付き容器に装着することができる。
【００１３】
また、ラベルシートの搬送方向と首掛部及び前掛部とを結ぶ方向とが直交する構成であると、ラベルシートの搬送方向と首掛部及び前掛部とを結ぶ方向が平行である場合と比べて、首掛ラベルの搬送方向の長さを短く構成することができる。すると、剥離作業を行うときに、１つの首掛ラベルを短い時間で剥離することができる。剥離時間を短くすることで、剥離時に首掛ラベルに与えられる影響を受ける可能性が低くなるため、剥離時間を均一化しやすくなる。すると、剥離した首掛ラベルが剥離開始から落下するまでの時間も均一化されることとなり、首付き容器の搬送速度の制御がしやすくなる。このため、より確実に首掛ラベルを首付き容器に装着することができる。
【００１４】
また、首掛ラベルの前掛部を折ることにより、首掛ラベルが落下するときに、前掛部が鉛直方向に垂下した状態となる。このように前掛部が垂下すると、首掛ラベルで水平方向に向いている部分は首掛部のみとなり、首掛ラベルの水平方向の表面積を小さくすることとなるため、首掛ラベルを落下させる際に首掛ラベルが受ける空気抵抗を軽減することができる。この結果、首掛ラベルは首付き容器の首部分に対しより確実に装着されることとなる。
【００１５】
以上のように、首掛ラベルを確実に且つ効率よく首付き容器に装着することができる。
【発明を実施するための最良の形態】
【００１６】
図を用いて本発明の実施形態を説明する。説明にあたっては、まず首掛ラベルを具備するラベルシートについて説明する。その後、ラベルシートを搬送し、ラベルシートから首掛ラベルを剥離し、首掛ラベルを首付き容器に装着する首掛ラベル装着装置について説明する。
【００１７】
〔ラベルシート１〕
図１を用いてラベルシートの説明を行う。図１はラベルシートの構成及び装着時の動作を示す斜視図であり、（ａ）はラベルシート１の斜視図、（ｂ）は首掛ラベル１０が台紙２１、２２から剥離される様子を示す斜視図である。
【００１８】
図１（ａ）に示すように、ラベルシート１は、後述の首付き容器に掛けるための首掛孔１１ａが形成される首掛部１１及び前掛部１２からなる首掛ラベル１０と、首掛部１１に擬似接着された首掛部用台紙２１と、前掛部１２に擬似接着された前掛部用台紙２２とから構成される。
【００１９】
首掛部１１と前掛部１２とを結ぶ方向Ｄ２は、ラベルシートの搬送方向Ｄ１と直交する方向である。前掛部１２には主に文字や情報が印刷されている。後述するが、前掛部１２は図１（ｂ）に示すように鉛直方向に折られることになる。
【００２０】
また、本実施形態における首掛部１１と前掛部１２との境界は、容易に折ることができるようにミシン目１３が入っている。これにより、後述の折り作業が容易になる。尚、ミシン目１３は、首掛部用台紙２１と前掛部用台紙２２との切れ目２３に対して直線状に並んでいる。このため、後述のように前掛部用台紙２２を剥離したときに、残った首掛部用台紙２１の切れ目２３のあった端部がガイドとなり、より前掛部１２をミシン目１３で折りやすくなるようになっている。
【００２１】
本実施形態においては首掛部用台紙２１と前掛部用台紙２２とが切れ目２３において完全に分離されている。が、必ずしも独立した台紙ではなくともよく、切れ目２３の部分で容易に離間するようにミシン目などが入り、首掛部用台紙２１と前掛部用台紙２２とが一体となっていてもよい。
【００２２】
〔首掛ラベル装着装置５０〕
図２及び図３を用いて首掛ラベル装着装置５０の構成及び動作の説明を行う。図２は首掛ラベル装着装置の概略構成図である。図３は首掛ラベルが首付き容器に装着される様子を示す斜視図である。
【００２３】
図２及び図３に示すように、首掛ラベル装着装置５０は、ラベルシート搬送手段５１、前掛部用台紙剥離手段５２、折り手段５３、首掛部用台紙剥離手段５４、容器搬送手段５５とを有する。また、ラベル押さえ手段５６、センサ５７、駆動手段５８等を有する。次に、各手段について詳細に説明する。
【００２４】
ラベルシート搬送手段５１は、首掛ラベル１０、首掛部用台紙２１及び前掛部用台紙２２を一体的に具備し、予めラベルシートロール５１Ａに巻き掛けられたラベルシート１を、後述の台紙の剥離位置まで搬送する。
【００２５】
前掛部用台紙剥離手段５２は、前掛部用台紙２２を反転搬送することで前掛部用台紙２２を首掛ラベル１０から剥離する。ここで、反転搬送とは、図２及び図３に示すように、側面から見た場合、搬送方向が鋭角に曲がる等、急激に搬送方向が変わるように搬送することである。前掛部用台紙２２を反転搬送することで、首掛ラベル１０の前掛部１２と前掛部用台紙２２とが急激に離間することとなり、擬似接着が解除される。尚、前掛部１２から剥離した前掛部用台紙２２は、駆動手段５８により搬送され、台紙巻取ロール５２Ａに巻き取られる。
【００２６】
折り手段５３は、本実施形態においては図３に示すように、首掛部１１の上方を押さえる上方押さえローラ５３ａと、前掛部１２を折る方向（本実施形態では下向き）へガイドする側方ガイド５３ｂと、前掛部１２を側方へ向かって押さえる側方押さえローラ５３ｃとを有する。首掛部用台紙２１に擬似接着された首掛ラベル１０が搬送される過程において、首掛ラベル１０が折り手段５３に入ると、首掛部１１が上方押さえローラ５３ａに押さえられる一方、自由端を有する前掛部１２が側方ガイド５３ｂにガイドされた後、側方押さえローラ５３ｃによって側方に押さえられる。これにより首掛ラベル１０は、前掛部１２が首掛部１１に対して垂直になるように山折りされる。尚、本実施形態においてはローラとしたが、これに限るものではなく、ガイドレールを設けて徐々に首掛ラベルの前掛部を折るような構成としてもよい。
【００２７】
首掛部用台紙剥離手段５４は、首掛部用台紙２１を前述と同様に反転搬送することで首掛部用台紙２１を首掛ラベル１０から剥離する。首掛部用台紙２１を首掛ラベル１０から剥離させると、首掛ラベル１０は重力により落下する。尚、首掛部１１から剥離した首掛部用台紙２１は、駆動手段５８により搬送され、台紙巻取ロール５４Ａに巻き取られる。
【００２８】
ここで、落下するタイミングを合わせるために、首掛部用台紙剥離手段５４の上部には首掛ラベル１０の位置を把握するセンサ５７が配設されている。また、首掛部用台紙剥離手段５４と隣接する位置には、首掛ラベル１０が首掛部用台紙２１から剥離するときに、首掛ラベル１０が剥離する時の姿勢を一定にさせるため、首掛ラベル１０を押さえるラベル押さえ手段５６が配置されている。
【００２９】
容器搬送手段５５は、センサ５７等の検知情報を元に制御され、台紙２１、２２から剥離された首掛ラベル１０が落下する時期と同期するように首付き容器３０を搬送する。このように搬送することで、首付き容器３０の首部分３１を首掛ラベル１０の首掛孔１１ａに入り込ませる。
【００３０】
〔首掛ラベル装着方法〕
以上の構成により、首掛ラベル１０を首付き容器３０に装着する手順を説明する。
【００３１】
まず、図２に示すように、ラベルシートロール５１Ａに巻き掛けられたラベルシート１を、ラベルシート搬送手段５１により搬送する。これにより、ラベルシート１は複数のローラにガイドされつつ、剥離位置まで搬送される。
【００３２】
搬送されたラベルシート１が前掛部用台紙剥離手段５２の配設される位置（剥離位置）に到達すると、前掛部用台紙剥離手段５２によって、図３に示すように、ラベルシート１のうち前掛部用台紙２２のみが反転搬送される。これにより、ラベルシート１から前掛部用台紙２２が剥離される。このとき、前掛部１２のミシン目１３がある端部は首掛部１１と一体になりつつ、前掛部１２のミシン目１３と対向する端部は自由端となる。一方、剥離された前掛部用台紙２２は、台紙巻取ロール５２Ａ（図２参照）に巻き取られる。
【００３３】
次に前掛部用台紙２２が剥離されたラベルシートは、折り手段５３の配設される位置（折り位置）に到達する。ラベルシートの前掛部１２は、まず側方ガイド５３ｂに当接する。すると、首掛ラベル１０のうち自由端となっている前掛部１２が首掛部１１に対して下方に折り曲げられる。そして、更にラベルシートが搬送されると、前掛部１２が側方押さえローラ５３ｃによって側方に押圧される。このとき首掛部１１は上方から上方押さえローラ５３ａによって押さえられている。このため、首掛ラベル１０は上方を固定されたまま側方を押圧されることになり、山折りされることとなる。ここで、図３に示すように、首掛ラベル１０の首掛部１１と前掛部１２との間にはミシン目１３が形成されるため、首掛ラベル１０は、ミシン目１３の位置で容易に山折りされる。
【００３４】
前掛部１２が垂れ下がるように折られた首掛ラベル１０は、その首掛部１１に擬似接着された首掛部用台紙２１とともに、首掛部用台紙剥離手段５４に搬送される。ここで、首掛部用台紙２１のみが反転搬送される。すると、首掛ラベル１０の首掛部１１に擬似接着されていた首掛部用台紙２１が、首掛部１１の搬送方向上流側から下流側に向かって離間される。これにより首掛ラベル１０は、首掛部用台紙２１からも剥離される。一方、剥離された首掛部用台紙２１は、台紙巻取ロール５４Ａ（図２参照）に巻き取られる。
【００３５】
首掛部用台紙２１から剥離させられた首掛ラベル１０は、首掛部用台紙剥離手段５４の剥離位置を飛び出して落下する。ここで、首掛ラベル１０が飛び出すタイミングは、センサ５７によって検知されている。
【００３６】
首掛ラベル１０の飛び出し方向にはラベル押さえ手段５６がある。ラベル押さえ手段５６は首掛ラベル１０の飛び出す姿勢を上方から規制する。このため、首掛ラベル１０が勢いよく飛び出したときでも、首掛ラベル１０に首掛部用台紙剥離手段５４に当たって、首掛ラベル１０の首掛部１１が水平になるように姿勢を正す。このため、首掛ラベル１０は、首掛部１１の首掛孔１１ａが水平となった状態で落下することになる。
【００３７】
上述の作業を行う一方、首掛ラベル１０が飛び出す位置の下方において、容器搬送手段５５が首付き容器３０を搬送している。その搬送は、センサ５７等の検知結果をもとにタイミングを計って搬送している。具体的には、首掛部用台紙剥離手段５４から飛び出して落下した首掛ラベル１０の首掛孔１１ａに対して首付き容器３０の首部分３１が入り込むように、複数の首付き容器３０を搬送する速度が制御されている。このため、上述のように姿勢を正された首掛ラベル１０が落下したとき、首掛ラベル１０の首掛孔１１ａに搬送された首付き容器３０の首部分３１が入り込むことになる。これにより、首掛ラベル１０が首付き容器３０に対して装着される。
【００３８】
以上のように、上記構成及び方法を用いることで、次のような効果を得ることができる。
【００３９】
図１（ａ）に示すように、本実施形態のラベルシート１は、首掛部１１と前掛部１２とを結ぶ方向Ｄ２が、ラベルシートの搬送方向Ｄ１と直交する方向となるように形成されている。このため、首掛部１１と前掛部１２とをそれぞれ搬送方向に連続的に並べることができ、各首掛部１１の間隔や各前掛部１２の間隔を狭めることができる。これに伴い、首掛ラベル１０を掛けられる側の首付き容器３０の間隔をも狭めることができる。これにより、短い時間でより多くの首付き容器３０に首掛ラベル１０を装着することができることとなり、首掛ラベルを効率よく首付き容器に装着することができる。
【００４０】
また、ラベルシートの搬送方向Ｄ１と首掛部１１と前掛部１２とを結ぶ方向Ｄ２とが直交する構成であると、ラベルシートの搬送方向と首掛部及び前掛部とを結ぶ方向が平行である場合と比べて、首掛ラベル１０の搬送方向の長さを短く構成することができる。すると、剥離作業を行うときに、１つの首掛ラベル１０を短い時間で剥離することができる。剥離時間を短くすることで、剥離時に首掛ラベル１０に与えられる影響を受ける可能性が低くなるため、剥離時間を均一化しやすくなる。すると、剥離した首掛ラベル１０が剥離開始から落下するまでの時間も均一化されることとなり、首付き容器３０の搬送速度の制御がしやすくなる。このため、より確実に首掛ラベル１０を首付き容器３０に装着することができるようになる。
【００４１】
また、首掛部１１と前掛部１２のそれぞれを連続的に並べることとすると、首掛部１１のみの首掛部用台紙２１と、前掛部１２のみの前掛部用台紙２２とを分離して用いることができ、前掛部用台紙２２の剥離段階、前掛部１２の折り段階、首掛部用台紙２１の剥離段階の各作業を円滑に進めることができる。
【００４２】
また、首掛ラベル装着装置５０に折り手段５３が具備されるため、首掛ラベル１０が落下するときに、前掛部１２が鉛直方向に垂下した状態となる。このように前掛部１２が垂下すると、首掛ラベル１０で水平方向に向いている部分は首掛部１１のみとなり、首掛ラベル１０の水平方向の表面積を小さくすることとなるため、首掛ラベル１０を落下させる際に首掛ラベル１０が受ける空気抵抗を軽減することができる。この結果、首掛ラベル１０は首付き容器３０の首部分３１に対しより確実に装着されることとなる。
【００４３】
更に、首掛ラベル１０の前掛部１２を折ってから首付き容器３０に装着するため、首掛ラベル１０が装着された後も、首掛ラベル１０は首付き容器３０の側面にはみ出さない。このため、首付き容器３０を箱詰めするなどの作業が容易となり、作業性を向上させることができる。
【産業上の利用可能性】
【００４４】
本発明はペットボトルやビン等の首付き容器の首部分に掛ける首掛ラベル、及び該首掛ラベルを首付き容器に装着する首掛ラベル装着装置及び首掛ラベル装着方法に利用することができる。
【図面の簡単な説明】
【００４５】
【図１】ラベルシートの構成及び装着時の動作を示す斜視図。
【図２】首掛ラベル装着装置の概略構成図。
【図３】首掛ラベルが首付き容器に装着される様子を示す斜視図。
【図４】従来の技術の説明図。
【符号の説明】
【００４６】
１…ラベルシート、１０…首掛ラベル、１１…首掛部、１１ａ…首掛孔、１２…前掛部、１３…ミシン目、２１…首掛部用台紙、２２…前掛部用台紙、２３…切れ目、３０…首付き容器、３１…首部分、５０…首掛ラベル装着装置、５１…ラベルシート搬送手段、５１Ａ…ラベルシートロール、５２…前掛部用台紙剥離手段、５２Ａ…台紙巻取ロール、５３…折り手段、５３ａ…上方押さえローラ、５３ｂ…側方ガイド、５３ｃ…側方押さえローラ、５４…首掛部用台紙剥離手段、５４Ａ…台紙巻取ロール、５５…容器搬送手段、５６…ラベル押さえ手段、５７…センサ、５８…駆動手段、１００…ラベルシート、１０１…首掛ラベル、１０１ａ…首掛部、１０２…台紙
【図１】
2009173312.tif 000003
【図２】
2009173312.tif 000004
【図３】
2009173312.tif 000005
【図４】
2009173312.tif 000006